(57)【要約】【課題】  偽造防止を容易に達成できると共に、偽造防止効果を十分に発揮できる偽造防止形成体を実現する。【解決手段】  偽造防止形成体１は、第１面である表面１ａと第２面である裏面１ｂとを表裏一体として有し、表面１ａには、第１の図形要素３が表示された第１の単位面２が、規則的に複数並んでおり、裏面１ｂには、第２の単位面１２が、規則的に複数並んでおり、第２の単位面１２上において、表面１ａに表示された第１の図形要素３との間で鏡像関係にある第２の図形要素１３の全部若しくは一部に、並びに、第２の図形要素１３でない残りの部分の全部若しくは一部に、偽造防止パターン要素１７ａ、１８ｂが形成されている。【選択図】図２
2005053197.tif 000002
【特許請求の範囲】
【請求項１】
第１面と第２面とを表裏一体として有する偽造防止形成体であって、
前記第１面には、第１の図形要素が表示された第１の単位面が、規則的に複数並んでおり、
前記第２面には、第２の単位面が、規則的に複数並んでおり、
前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、
前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造パターン要素と前記第１の単位面上の前記第１の図形要素でない残りの部分とで、偽造防止パターンを形成することを特徴とする偽造防止形成体。
【請求項２】
前記第１の単位面上において、前記第１の図形要素及び／又は前記第１の図形要素でない残りの部分の全部若しくは一部は、第１の網点が印刷された第１の領域と、第２の網点が印刷された第２の領域とで構成されており、
前記第１の領域と前記第２の領域とは等濃度で印刷されており、
肉眼で観察すると前記第１の網点と前記第２の網点とを区別することはできないが、複写機により複写された複写物上には、前記第１の網点は現出し、前記第２の網点は消失することを特徴とする請求項１記載の偽造防止形成体。
【請求項３】
前記第２の単位面上において、前記偽造防止パターン要素は、第１の網点が印刷された第１の領域と、第２の網点が印刷された第２の領域とで構成されており、
前記第１の領域と前記第２の領域とは等濃度で印刷されており、
肉眼で観察すると前記第１の網点と前記第２の網点とを区別することはできないが、複写機により複写された複写物上には、前記第１の網点は現出し、前記第２の網点は消失することを特徴とする請求項１又は２に記載の偽造防止形成体。
【請求項４】
前記第１の図形要素及び／又は前記第１の図形要素でない残りの部分の全部若しくは一部は、目視による前記第１面の余白の部分との区別がつかない色で形成されていることを特徴とする請求項１から３のいずれかに記載の偽造防止形成体。
【請求項５】
前記偽造防止パターン要素は、目視による前記第２面の余白の部分との区別がつかない色で形成されていることを特徴とする請求項１から４のいずれかに記載の偽造防止形成体。
【請求項６】
前記第１の単位面上において、前記第１の図形要素でない残りの部分が前記第１の図形要素を囲繞していることを特徴とする請求項１から５のいずれかに記載の偽造防止形成体。
【請求項７】
前記第１の図形要素若しくは前記第１の単位面上の前記第１の図形要素でない残りの部分は、前記偽造防止パターン要素よりも低い濃度で形成されており、又は、前記偽造防止パターン要素は、前記第１の図形要素若しくは前記第１の単位面上の前記第１の図形要素でない残りの部分よりも低い濃度で形成されており、
前記第１面又は前記第２面を手前にして透かし視た状態において、前記第１の図形要素若しくは前記第１の単位面上の前記第１の図形要素でない残りの部分と、前記偽造防止パターン要素とが、同じ濃度で視認されることを特徴とする請求項１から６のいずれかに記載の偽造防止形成体。
【請求項８】
前記第１の図形要素と、前記第１面を手前にして透かし視た状態において、透過像として視認される前記偽造防止パターン要素とは、点対称図形となることを特徴とする請求項１から７のいずれかに記載の偽造防止形成体。
【請求項９】
前記第１の図形要素は、第１の構成要素と、
前記第１の構成要素と点対称関係にある第２の構成要素を、表出するように形成された背景要素と、を備えていることを特徴とする請求項１から８のいずれかに記載の偽造防止形成体。
【請求項１０】
前記第１の図形要素は、第１の構成要素と、
前記第１の構成要素と点対称関係にある第２の構成要素を含む、第３の構成要素を表出するように形成された背景要素と、を備えていることを特徴とする請求項１から８のいずれかに記載の偽造防止形成体。
【請求項１１】
第１面と第２面とを表裏一体として有する偽造防止形成体の作成方法であって、
前記第１面には、第１の図形要素が表示された第１の単位面が、規則的に複数並んでおり、
前記第２面には、第２の単位面が、規則的に複数並んでおり、
前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、
前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造パターン要素と前記第１の単位面上の前記第１の図形要素でない残りの部分とで、偽造防止パターンを形成することを特徴とする偽造防止形成体の作成方法。
【発明の詳細な説明】
【技術分野】
【０００１】
この発明は、偽造防止を必要とする偽造防止形成体に関し、特には、カラー複写機を用いた複写を防止する機能を備えた、紙、フィルム、プラスチック等から成る偽造防止形成体及びその作成方法に関する。
【背景技術】
【０００２】
近年、カラー複写機の精度向上及び普及に伴い、各種の有価証券類を始めカード類の偽造が容易となっている。このような偽造を防止するための技術は従来から用いられている。例えば、透かし模様を偽造防止用紙に漉き込み、透かして視ることで、透かし模様の有無、形状を識別し、真偽が判別できるようにしている従来技術がある。
【０００３】
また、下記の特許文献１には、第１のトーン像及び第２のトーン像の一方がカラー複写機で再生可能な密度で、他方が再生不可能な密度で、それぞれ形成されており、肉眼で観察するとき、前記第１のトーン像及び第２のトーン像の一方を他方と区別して観察することはできないが、カラー複写機により複写された複写上には明瞭に現出して警告マークを構成する、不都合な再生を防止するための文書が開示されている。
【特許文献１】特公昭５８−４７７０８号公報（第１頁、第３図）
【発明の開示】
【発明が解決しようとする課題】
【０００４】
しかしながら、偽造の手口の高度化に伴い、単独の偽造防止技術を用いるのみでは、十分な偽造防止効果が得られない。一方で、増加する偽造に迅速に対応するため、偽造しにくく、かつ偽造防止を容易に達成できる技術が求められる。さらには、偽造防止に費やす費用を低減することも望まれる。
【０００５】
本発明は、偽造防止を容易に達成できると共に、偽造防止効果を十分に発揮できる偽造防止形成体及びその作成方法を実現することを課題とするものである。
【課題を解決するための手段】
【０００６】
本発明は上記課題を解決するために、第１面と第２面とを表裏一体として有する偽造防止形成体であって、前記第１面には、第１の図形要素が表示された第１の単位面が、規則的に複数並んでおり、前記第２面には、第２の単位面が、規則的に複数並んでおり、前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造パターン要素と前記第１の単位面上の前記第１の図形要素でない残りの部分とで、偽造防止パターンを形成することを特徴とする偽造防止形成体を提供する。
【０００７】
前記第１の単位面上において、前記第１の図形要素及び／又は前記第１の図形要素でない残りの部分の全部若しくは一部は、第１の網点が印刷された第１の領域と、第２の網点が印刷された第２の領域とで構成されており、前記第１の領域と前記第２の領域とは等濃度で印刷されており、肉眼で観察すると前記第１の網点と前記第２の網点とを区別することはできないが、複写機により複写された複写物上には、前記第１の網点は現出し、前記第２の網点は消失することが好ましい。
【０００８】
前記第２の単位面上において、前記偽造防止パターン要素は、第１の網点が印刷された第１の領域と、第２の網点が印刷された第２の領域とで構成されており、
前記第１の領域と前記第２の領域とは等濃度で印刷されており、肉眼で観察すると前記第１の網点と前記第２の網点とを区別することはできないが、複写機により複写された複写物上には、前記第１の網点は現出し、前記第２の網点は消失することが好ましい。
【０００９】
前記第１の図形要素及び／又は前記第１の図形要素でない残りの部分の全部若しくは一部は、目視による前記第１面の余白の部分との区別がつかない色で形成されていることが好ましい。
【００１０】
前記偽造防止パターン要素は、目視による前記第２面の余白の部分との区別がつかない色で形成されていることが好ましい。
【００１１】
前記第１の単位面上において、前記第１の図形要素でない残りの部分が前記第１の図形要素を囲繞していることが好ましい。
【００１２】
前記第１の図形要素若しくは前記第１の単位面上の前記第１の図形要素でない残りの部分は、前記偽造防止パターン要素よりも低い濃度で形成されており、又は、前記偽造防止パターン要素は、前記第１の図形要素若しくは前記第１の単位面上の前記第１の図形要素でない残りの部分よりも低い濃度で形成されており、
前記第１面又は前記第２面を手前にして透かし視た状態において、前記第１の図形要素若しくは前記第１の単位面上の前記第１の図形要素でない残りの部分と、前記偽造防止パターン要素とが、同じ濃度で視認されることが好ましい。
【００１３】
前記第１の図形要素と、前記第１面を手前にして透かし視た状態において、透過像として視認される前記偽造防止パターン要素とは、点対称図形となることが好ましい。
【００１４】
前記第１の図形要素は、第１の構成要素と、前記第１の構成要素と点対称関係にある第２の構成要素を、表出するように形成された背景要素と、を備えていることが好ましい。
【００１５】
前記第１の図形要素は、第１の構成要素と、前記第１の構成要素と点対称関係にある第２の構成要素を含む、第３の構成要素を表出するように形成された背景要素と、を備えていることが好ましい。
【００１６】
また本発明は、第１面と第２面とを表裏一体として有する偽造防止形成体の作成方法であって、前記第１面には、第１の図形要素が表示された第１の単位面が、規則的に複数並んでおり、前記第２面には、第２の単位面が、規則的に複数並んでおり、前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造パターン要素と前記第１の単位面上の前記第１の図形要素でない残りの部分とで、偽造防止パターンを形成することを特徴とする偽造防止形成体の作成方法を提供する。
【発明の効果】
【００１７】
以上の構成から成る本発明に係る偽造防止形成体及びその作成方法によると、偽造防止を容易に達成できると共に、偽造防止効果を十分に発揮することができる
【発明を実施するための最良の形態】
【００１８】
本発明に係る偽造防止形成体及びその作成方法の最良の形態を実施例に基づいて図面を参照して説明する。
【実施例１】
【００１９】
図１は、本発明の実施例１に係る偽造防止形成体１の全体構成を表す平面図である。図１（ａ）には、偽造防止形成体１の表面１ａ全体が示され、図１（ｂ）には、偽造防止形成体１の裏面１ｂ全体が示されている。偽造防止形成体１は、第１面である表面１ａと第２面である裏面１ｂとを表裏一体として有する。この偽造防止形成体１を部分的に拡大した図を図２に示す。図２（ａ）は、図１（ａ）に示される偽造防止形成体１の表面１ａを部分的に拡大した図であり、図２（ｂ）は、図１（ｂ）に示される偽造防止形成体１の裏面１ｂを部分的に拡大した図である。また、図２（ｃ）は、偽造防止形成体１の表面１ａを手前にして透かし視た状態を示す表面１ａを部分的に拡大した図である。
【００２０】
偽造防止形成体１の表面１ａには、第１の単位面２が規則的に複数並んでいる。図１（ａ）では、各々の第１の単位面２の境界線（区切り）を図示していないが、各々の第１の単位面２は例えば正方形である。複数並ぶ第１の単位面２の外側、つまり、偽造防止形成体１の表面１ａの外周辺には、余白４が設けられている。
【００２１】
各々の第１の単位面２上には、第１の図形要素３が表示されている。第１の図形要素３は、本実施例では曲玉形状の図形である。第１の図形要素３は所定の色で塗布又は印刷される等して形成されている（図１では黒色で、図２では斜線で示す）。図２（ａ）では、偽造防止形成体１の部分的な拡大図として、このような第１の図形要素３が表示された第１の単位面２がそれぞれ６つ示されている。なお、第１の図形要素３を表示するため及び説明の便宜上、図１及び図２では、各々の第１の単位面２内に円５が描かれ、この円５を曲玉形状の図形２つで構成するように描かれている。実際の偽造防止形成体１では、図１に描かれているような円５の輪郭や、図２に描かれているような円５及び第１の単位面２の輪郭は表示されていなくてもよい。
【００２２】
以下、複数の第１の単位面２のうち、図２（ａ）に示されるように、上下に隣接する２つの第１の単位面２ａ、２ｂを例に挙げて説明する。第１の単位面２ａ内に描かれている円５ａは、第１の図形要素３ａである一つの曲玉形状の図形と、もう一つの曲玉形状の図形６ａとで構成されている。同様に、第１の単位面２ｂ内に描かれている円５ｂは、第１の図形要素３ｂである一つの曲玉形状の図形と、もう一つの曲玉形状の図形６ｂとで構成されている。そして、円５ａを構成する第１の図形要素３ａともう一つの曲玉形状の図形６ａとは互いに点対称の図形となっており、同様に、円５ｂを構成する第１の図形要素３ｂともう一つの曲玉形状の図形６ｂとは互いに点対称の図形となっている。既に述べたように、第１の図形要素３ａ、３ｂの全部は、塗布や印刷等されることにより所定の色で形成されている（図２では斜線で示す）。
【００２３】
一方、偽造防止形成体１の裏面１ｂには、表面１ａの第１の単位面２に対応して、第２の単位面１２が規則的に複数並んでいる。つまり、ここでいう「対応して」とは、図１に示されるように表面１ａと裏面１ｂとの２つの面を横に並べた状態を想定したとき、図１の紙面を折り曲げて、表面１ａに裏面１ｂを重ね合わせた場合に、表面１ａ上の規則的に複数並ぶ第１の単位面２に、裏面１ｂ上の規則的に複数並ぶ第２の単位面１２がそれぞれ重なって一致する関係にあるという意味である。図１（ｂ）では、各々の第２の単位面１２の境界線を全て図示していないが、第２の単位面１２も、第１の単位面２と同様に正方形である。複数並べられた第２の単位面１２の外側、つまり、偽造防止形成体１の裏面１ｂの外周辺にも、同様に余白１４が設けられている。
【００２４】
各々の第２の単位面１２には、第２の図形要素１３が示されている。第２の図形要素１３は、第１の図形要素３と同様に曲玉形状の図形である。また、第２の図形要素１３は、第１の図形要素３との間で鏡像関係にある。つまり、ここでいう鏡像関係にあるという意味は、前述したように、例えば図１の紙面を折り曲げて、表面１ａと裏面１ｂとを重ね合わせた場合に、第１の単位面２と第２の単位面１２とが重なって一致する結果、第１の図形要素３と第２の図形要素１３とが重なって一致するという意味を含む。さらに、本実施例のように、第１の図形要素３と第２の図形要素１３とが全て重なって一致する場合の他、第１の図形要素３と第２の図形要素とが一部において重なる部分が生じる場合も含まれる。
【００２５】
図２（ｂ）では、偽造防止形成体１の裏面１ｂを部分的に拡大した図として、このような第２の図形要素１３が表示された第２の単位面１２がそれぞれ６つ示されている。偽造防止形成体１の裏面１ｂについても、説明の便宜上、図１及び図２では、各々の第２の単位面１２内に円１５が描かれ、この円１５を曲玉形状の図形２つで構成するように描かれている。なお、実際の偽造防止形成体１では、これらの円１５や第２の単位面１２の輪郭は表示されず、したがって、円１５によって輪郭が表されている第２の図形要素１３（例えば第２の図形要素１３ｂ）も、表示されない。
【００２６】
以下、複数の第２の単位面１２のうち、図２（ｂ）に示されるように、上下に隣接する第２の単位面１２ａ、１２ｂを例に上げて説明する。裏面１ｂにおいては、第１の図形要素３ａとの間で鏡像関係にある曲玉形状の第２の図形要素１３ａと、もう一つの曲玉形状の図形１６ａとで、円１５ａを構成している。同様に、第１の図形要素３ｂとの間で鏡像関係にある曲玉形状の第２の図形要素１３ｂと、もう一つの曲玉形状の図形１６ｂとで、円１５ｂを構成している。
【００２７】
第２の単位面１２ａ上において、所定の色で例えば塗布や印刷等することにより、第２の図形要素１３ａ全て（全部）に、偽造防止パターン要素１７ａが形成されている。また、第２の単位面１２ｂ上においては、第２の図形要素１３ｂでない残りの部分の一部、即ち、もう一つの曲玉形状の図形１６ｂを、同様に所定の色で例えば塗布や印刷等することにより、偽造防止パターン要素１８ｂが形成されている。
【００２８】
なお、本実施例では、第２の図形要素１３ａの全部に偽造防止パターン要素１７ａが形成されているが、第２の図形要素１３ａの一部に偽造パターン要素１７ａを形成することにしても良い。また、第２の図形要素１３ｂでない残りの部分の一部（もう一つの曲玉形状の図形１６ｂ）に偽造防止パターン要素１８ｂが形成されているが、第２の単位面１２ｂ上において、第２の図形要素１３ｂでない残りの全部に偽造防止パターン要素１８ｂを形成しても良い。
【００２９】
（原理、作用）
次に、上記のような構成を有する偽造防止形成体１の原理（作用）について説明する。偽造防止形成体１を、第１面である表面１ａを手前にして、透かし視た状態におく。この状態の偽造防止形成体１の部分的な拡大図が図２（ｃ）に示される。この透かし視た状態においては、偽造防止形成体１のうち所定の色で形成されている部分には、裏面１ｂから表面１ａに光が透過せず、所定の色で形成されていない部分にのみ光が透過する。したがって、所定の色で形成することにより表面１ａに形成された第１の図形要素３（３ａ、３ｂ）には光が透過せず（光を遮り）、陰となった第１の図形要素３を視認することができる。
【００３０】
この透かし視た状態においては、裏面１ｂに形成された第２の図形要素１３ａ（偽造防止パターン要素１７ａ）の位置が、表面１ａに形成された第１の図形要素３ａの位置に一致する。第１の図形要素３ａは所定の色で形成（塗布や印刷等）されているため、偽造防止形成体１の裏面１ｂから表面１ａに光が透過せず、裏面１ｂの第２の図形要素１３ａ（偽造防止パターン要素１７ａ）は表面１ａ上に透過像として視認されない。
【００３１】
一方、裏面１ｂに形成された偽造防止パターン要素１８ｂの位置は、表面１ａの曲玉形状の図形６ｂの位置に一致する。そして、曲玉形状の図形６ｂは所定の色で形成されていないため、裏面１ｂの偽造防止パターン要素１８ｂが光を遮って陰となり透過像として視認される（図２（ｃ）に斜線で示す）。
【００３２】
既に述べたように、第１の図形要素３ｂと、曲玉形状の図形６ｂとは、点対称図形である。したがって、第１の図形要素３ｂと、曲玉形状の図形６ｂの位置に一致して透過像として視認される偽造防止パターン要素１８ｂとは、点対称図形となる。
【００３３】
上記のように、第２の図形要素１３ａ、つまり偽造防止パターン要素１７ａ、及び、偽造防止パターン要素１８ｂの位置と、第１の図形要素３ａ、３ｂの位置との関係によって、偽造防止パターン要素１８ｂを透過像として視認させ、偽造防止パターン画素を形成することができる。つまり、偽造防止パターン要素１８ｂが透過像として視認されることにより、偽造防止パターン要素１８ｂと第１の図形要素３ｂとで、偽造防止パターン画素を形成し、この偽造防止パターン画素の集合体が第１の図形要素３ａと共に偽造防止パターンを形成するのである。
【００３４】
つまり、上記のように透過像として視認される偽造防止パターン要素１８ｂを複数形成する。これにより、透かし視た状態において、第１の図形要素３と透過像として視認される複数の偽造防止パターン要素とで、例えば所定の文字や図形や模様等を構成することができる。
【００３５】
偽造防止形成体１の表面１ａに形成される複数の第１の図形要素３と裏面１ｂに形成される偽造防止パターン要素とで、偽造防止パターンを形成することにより、偽造を有効に防止することができる。
【００３６】
したがって、第１の図形要素３は、単に、偽造防止形成体１上に模様や図形を構成するもととなる要素であるという意味だけでなく、裏面１ｂに形成される偽造防止パターン要素と同様に、偽造防止パターンを形成する役割を有する。要するに、表面１ａに形成された第１の図形要素３と裏面１ｂに形成された偽造防止パターン要素とが合体して、偽造防止パターンの画素を作るのである。
【００３７】
なお、本実施例では、偽造防止形成体１の表面１ａを手前にして、透かし見た状態においた場合を作用として説明した。このような本実施例で、透過像として視認される裏面１ｂに形成された偽造防止パターン要素と表面１ａに形成される第１の図形要素３とで、形成される偽造防止パターンは、例えば正像として視認される。一方、裏面１ｂを手前にして透かし見た状態においても、形成された偽造防止パターンを視認することができる。つまり、この場合、表面１ａを手前にして正像が視認されるとき、裏面１ｂを手前にして透かし見ると、透過像として視認される表面１ａに形成された第１の図形要素３と裏面１ｂに形成された偽造防止パターン要素とで、形成される偽造防止パターンは、逆像（左右反転像）として視認される。したがって、第２の単位面における偽造防止パターン要素の位置を本実施例と左右反転関係にあるように配置すれば、裏面１ｂを手前にして形成される偽造防止パターンが正像として視認される
【００３８】
また、第１の図形要素３は、偽造防止形成体１の表面１ａ上で所定の色が塗布や印刷等により形成されていない部分、つまり、表面１ａの例えば余白４の部分との目視による区別がつきにくい色で形成されることが望ましい。同様に、上述の偽造防止パターン要素は、偽造防止形成体１の裏面１ｂ上で所定の色が形成されていない部分、つまり、裏面１ｂの例えば余白１４の部分との目視による区別がつきにくい色で形成されることが望ましい。
【００３９】
例えば、偽造防止形成体１の表面１ａや裏面１ｂの余白４、１４の色が、例えば黄色や淡い有色ならば、第１の図形要素３や偽造防止パターン要素は、目視による区別がつかないように黄色や淡い有色で形成される。
【００４０】
さらには、偽造防止形成体１の表面１ａを手前にして透かし視た状態において、直接視認される第１の図形要素３と、透過像として視認される偽造防止パターン要素とが、同じ濃度となるように、第１の図形要素３と上記偽造防止パターン要素とが、上述した所定の色でそれぞれ形成されることが望ましい。ここでいう濃度とは、第１の図形要素３や偽造防止パターン要素により光を遮って視認される濃度のことである。
【００４１】
つまり、偽造防止形成体１の表面１ａを手前にして透かし視た状態のときに、所定の色で形成されることにより光を遮る第１の図形要素３と、同様に所定の色で形成されることにより光を遮って透過像として視認される偽造防止パターン要素と、の双方の陰の濃度が同じとなることが望ましい。この陰の濃度が同じとなるように、第１の図形要素３や偽造防止パターン要素を所定の色で形成することにより、偽造防止形成体１を透かし視たとき、形成される偽造防止パターンの視認性が向上する。
【００４２】
表面１ａの第１の図形要素３と、裏面１ｂの偽造防止パターン要素とを、同一の有色色材を用い同じ濃度（面積率）の所定の色で形成した場合、表面１ａを手前にして透かし視た状態のときには、表面１ａに形成された第１の図形要素３よりも、裏面１ｂに形成され、かつ透過像として視認される偽造防止パターン要素の方が、目視する者にとって通常薄く感じられる。つまり、例えばこの発明の実用的な適用例として、ごく淡い階調の暗色色材を採用し、表面１ａの第１の図形要素３と、裏面１ｂの偽造防止パターン要素とを同じ濃度（面積率）の所定の色で形成した場合、表面１ａの第１の図形要素３と、透過像として視認される偽造防止パターン要素との間には、面積率にして約５％程度の濃度差が生じる。
【００４３】
したがって、表面１ａを手前にして透かし視た状態のときに正像が視認される場合は、表面１ａの第１の図形要素３を裏面１ｂの偽造防止パターン要素よりも、低い濃度で、具体的には、実用的な淡い色調のパターン濃度を採用した場合、例えば面積率にして約５％〜１０％程度の濃度差を保つように所定の色で形成する。同様に、裏面１ｂを手前にして透かし視た状態のときに正像として視認される場合は、裏面１ｂの偽造防止パターン要素を表面１ａの第１の図形要素３よりも、低い濃度で、具体的には、面積率にして約５％〜１０％程度の濃度差を保つように所定の色で形成する。これにより、上記した陰の濃度が同じとなる、なお、例外的に白色や黄色のような高明度の色材を採用する場合には、この関係は逆転する。ここでいう面積率とは、印刷等により任意の要素を領域に形成する場合に、この領域が占める総面積に対する、この要素が占有する総面積の割合である。
【実施例２】
【００４４】
図３は、実施例２に係る偽造防止形成体２１、３１を示す部分的な拡大図である。図３（ａ）（ｂ）にはそれぞれ、実施例２にかかる偽造防止形成体２１、３１の表面２１ａ、３１ａを部分的に拡大した図が示されている。偽造防止形成体２１、３１の表面２１ａ、３１ａの全体構成は、実施例１の偽造防止形成体１と類似する。つまり、偽造防止形成体２１、３１はそれぞれ、偽造防止形成体１と同様に、第１面である表面２１ａ、３１ａに規則的に複数並んだ第１の単位面２２、３２を有し、各々の第１の単位面２２、３２は例えば正方形である。また、各々の第１の単位面２２、２３には、偽造防止形成体１と同様の曲玉形状の第１の図形要素２３、３３が表示されている。なお、偽造防止形成体２１、３１の第２面である裏面については、実施例１の偽造防止形成体１と同様であるため、ここでは図示及び説明を省略する。
【００４５】
偽造防止形成体２１、３１が実施例１の偽造防止形成体１と異なる点は、偽造防止形成体２１、３１の表面２１ａ、３１ａに複写防止パターンが形成されていることである。具体的には、偽造防止形成体２１、３１の表面２１ａ、３１ａに形成されている第１の図形要素２３、３３は、第１の網点（ドット）が印刷された第１の領域と、第２の網点（ドット）が印刷された第２の領域とで構成されている。
【００４６】
図３を参照しつつ、複写防止パターンの原理と共に、以下にさらに詳しく説明する。図３（ａ）には、偽造防止形成体２１の表面２１ａに形成された複数の第１の単位面２２のうち、隣接する３つの第１の単位面２２ａ、２２ｂ、２２ｃが、拡大されて図示されている。このうち第1の単位面２２ａ、２２ｃに形成された第１の図形要素２３ａ、２３ｃはそれぞれ、第１の網点２４が印刷された第１の領域２５ａ、２５ｃで構成されている。また、第１の単位面２２ｂに形成された第１の図形要素２３ｂは、第２の網点２６が印刷された第２の領域２５ｂで構成されている。
【００４７】
第１の領域２５ａ、２５ｃと第２の領域２５ｂとは、等濃度で印刷されている。つまり、面積率（具体的には、第１の領域及び第２の領域が占める総面積に対する、第１の網点２４及び第２の網点２６が占有する総面積の割合）は、例えば１０％である。第１の網点２４及び第２の網点２６は共に、例えば丸い形状であり、第１の網点２４は、第２の網点２６に比べて大きい。第１の網点２４の大きさは、例えば１００〜２００ミクロンであり、第２の網点２６の大きさは、例えば２０〜５０ミクロンである。ただし、偽造防止形成体２２の表面２１ａ全体を肉眼で観察しても、この第１の網点２４と第２の網点２６とは、区別して観察することが困難である。なお、図３に示される第１の網点２４と第２の網点２６とは、説明を分かりやすくするために、拡大されて図示されているものである。
【００４８】
しかし、カラー複写機等の印刷装置（複写機）によりこの偽造防止形成体２１の表面２１ａが複写された複写物上には、第１の網点２４は現出するのに対し、第２の網点２６は消失する。これが複写防止パターンの原理となる。
【００４９】
偽造防止形成体２１の表面２１ａが複写された場合、第１の網点２４が印刷されている第１の領域２５ａ、２５ｃは、複写物上に現出する。このため、第１の領域２５ａ、２５ｃで構成されている第１の図形要素２３ａ、２３ｃは、複写物上に複写される。一方、第２の網点２６が印刷されている第２の領域２５ｂは、複写物上で消失する。このため、第２の領域２５ｂで構成されている第１の図形要素２３ｂは、複写物上に複写されない。
【００５０】
上記のような複写防止パターンの原理を用いることにより、偽造防止形成体２１の表面２１ａに規則的に複数並ぶ第１の図形要素について、第１の領域と第２の領域とを組み合わせて構成する。要するに、第１の領域と第２の領域とを組み合わせることにより、複写物上において、第２の領域が消失し、第１の領域が現出して所定の文字や図形等の複写防止パターンを表出するように構成しておく。このようにして、偽造防止形成体２１の表面２１ａには、第１の網点２４が印刷された第１の領域と、第２の網点２６が印刷された第２の領域とで構成された、複写物上で表出すべき複写防止パターンが形成される。要するに、原本である偽造防止形成体１では形成された複写防止パターンを視認できないが、偽造防止形成体１の複写物上では、この複写防止パターンが表出するという意味である。
【００５１】
図３（ｂ）には、他の例に係る偽造防止形成体３１の表面３１ａの部分的な拡大図を示す。図３（ａ）に示した偽造防止形成体２１と同様に、偽造防止形成体３１の表面３１ａに形成された複数の第１の単位面３２のうち、隣接する３つの第１の単位面３２ａ、３２ｂ、３２ｃが、拡大されて図示されている。
【００５２】
以下、偽造防止形成体３１が偽造防止形成体２１と異なる点のみを説明し、同様の点については説明を省略する。偽造防止形成体３１では、図３（ｂ）に示されるように、第1の単位面３２ａに形成された第１の図形要素３３ａ自体が、第１の網点２４が印刷された第１の領域３５ａと第２の網点２６が印刷された第２の領域３６ａとで構成されている。第１の図形要素３３ａでは、第２の領域３６ａが第１の領域３５ａよりも広い領域となっている例である。
【００５３】
同様に、第１の単位面３２ｂに形成された第１の図形要素３３ｂ自体が、第１の網点２４が印刷された第１の領域３５ｂと、第２の網点２６が印刷された第２の領域３６ｂとで構成されている。そして、第１の単位面３２ｃに形成された第１の図形要素３３ｃ自体も、第１の網点２４が印刷された第１の領域３５ｃと、第２の網点２６が印刷された第２の領域３６ｃ、３７ｃとで構成されている。第１の図形要素３３ｂでは、第２の領域３６ｂの方が第１の領域３５ｂよりも狭い例である。また、第１の図形要素３３ｃでは、第２の領域３６ｃ、３７ｃが、第１の領域３５ｃを挟んで二つに分かれている例である。
【００５４】
図３（ｂ）に示されるように、本実施例の特徴は、隣り合う第１の単位面３２ａ、３２ｂ、３２ｃ同士の境界において、第１の図形要素３３ａ、３３ｂ、３３ｃ同士が接しており、この境界付近において、隣り合って接している第１の図形要素３３ａ、３３ｂ、３３ｃ同士には、同じ種類の領域（同じ種類の網点）が連続して配置（構成）されていることである。具体的には、隣り合う第１の単位面３２ａ及び第１の単位面３２ｂの境界において、第１の図形要素３３ａと第１の図形要素３３ｂとが接している。この隣り合う第１の図形要素３３ａ、３３ｂ同士が接している境界付近では、第１の網点２４で構成された同じ種類の領域である第１の領域３５ａと第１の領域３５ｂとが連続して配置されている。隣り合う第１の単位面３２ｂ及び第１の単位面３２ｃの境界においても同様に、第１の図形要素３３ｂ、３３ｃ同士が接している境界付近では、第２の網点２６で構成された、同じ種類の領域である第２の領域３６ｂと第２の領域３６ｃとが連続して配置されている。
【００５５】
偽造防止形成体３１の表面３１ａに規則的に並ぶ複数の第１の図形要素３３全てについて、第１の図形要素３３ａ、３３ｂ、３３ｃと同様に、第１の領域と第２の領域とで構成されている。このような構成を有する偽造防止形成体３１の表面３１ａに、偽造防止形成体２１と同様に、複写防止パターンを形成することができる。
【００５６】
なお、偽造防止形成体２１に表示したような、第１の領域又は第２の領域から構成される第１の図形要素２３ａ、２３ｂ、２３ｃと、偽造防止形成体３１に表示したような、第１の領域と第２の領域との２つの領域から構成される第１の図形要素３３ａ、３３ｂ、３３ｃとの、両方を有する偽造防止形成体を作成してもよい。
【００５７】
（作用）
上記のような構成を有する偽造防止形成体２１、３１を複写した場合の作用について説明する。偽造防止形成体２１、３１の表面２１ａ、３１ａを複写すると、複写物上には、規則的に複数並ぶ第１の図形要素２３、３３のうち、第１の領域から構成されている第１の図形要素のみが複写される。つまり、第２の領域から構成されている第１の図形要素は又はその部分（つまり、第１の図形要素のうち第２の領域から構成されている一部）は複写されない。したがって、複写された第１の図形要素の配列や形状により構成されている所定の文字や図形等の複写防止パターンが複写物上に現出する。
【００５８】
複写防止パターンが現出すると同時に、図３に示されるように、第２の領域２５ｂ、３６ａ、３６ｂ、３６ｃ、３７ｃは複写されないので、第２の領域で構成されている第１の図形要素２３ｂの形状の全部、又は第１の図形要素３３ａ、３３ｂ、３３ｃの形状の一部が消失し複写されない。偽造防止形成体２１、３１の表面２１ａ、３１ａに規則的に複数並ぶ第１の図形要素全体について同様に、第１の図形要素の形状の全部又は一部が消失し複写されない。第１の図形要素の形状の全部又は一部が消失することにより、偽造防止形成体２１、３１の表面２１ａ、３１ａに表示されている複数の第１の図形要素と、偽造防止形成体２１、３１の裏面（図示せず）に形成されている偽造防止パターン要素（図示せず）とで、透かし視た状態のときに形成されるはずの所定の偽造防止パターンが、複写物上には形成されず、視認されない。
【００５９】
このように、偽造防止形成体２１、３１は複写されると、複写物上に複写防止パターンが現出すると共に、偽造防止パターンが形成されないので、複写物では原本性が失われ、偽造防止に相乗効果を発揮することができる。よって、カラー複写機等の複写機による偽造を確実に防止することができる。
【００６０】
本実施例においても、実施例１と同様に、第１の図形要素２３、３３は、表面２１ａ、３１ａの余白の部分との目視による区別がつきにくい所定の色で形成されていることが望ましい。さらに、実施例１と同様に、偽造防止形成体２１、３１の表面２１ａ，３１ａを手前にして透かし視た状態において、第１の図形要素２３、３３と、透過像として視認される偽造防止パターン要素とが、同じ濃度で視認されるように、両者、つまり、第１の図形要素２３、３３と偽造防止パターン要素とが形成されていることが望ましい。又は、偽造防止形成体２３、３３の裏面（図示せず）を手前にして透かし視た状態においても、偽造防止パターン要素と、透過像として視認される第１の図形要素２３、３３とが、同じ濃度で視認されるように形成されていてもよい。
【００６１】
なお、本実施例では、第１の網点２４及び第２の網点２６は、丸い形状としているが、他の形、例えば星形、針状、矩形、又は、数字、かたかな、アルファベット、記号等の有意味図形等でもよい。
【００６２】
上述したように本実施例では、偽造防止形成体２１、３１の表面（第１面）２１ａ、３１ａにおいて、第１の単位面２２、３２上に表示された第１の図形要素２３、３３を、第１の網点２４が印刷された第１の領域と第２の網点２６が印刷された第２の領域とで構成した。さらに、偽造防止形成体２１、３１の裏面（第２面）（図示せず）においても、第２の単位面上に形成される偽造防止パターン要素（図示せず）を第１の網点２４が印刷された第１の領域と第２の網点２６が印刷された第２の領域とで構成してもよい。この場合には、偽造防止形成体２１、３１の裏面を複写すれば、偽造防止形成体２１、３１の表面２１ａ、３１ａを複写した場合と同様の作用、効果を得ることができる。
【００６３】
また、白色や黄色の色材を採用する場合のように偽造防止形成体の表面（第１面）に表示された第１の図形要素は、第１の領域と第２の領域とで構成せず、偽造防止形成体の裏面（第２面）に他の有色色材によって形成された第２の図形要素及び偽造防止パターン要素のみを、第１の網点２４が印刷された第１の領域と第２の網点２６が印刷された第２の領域とで構成することにしてもよい。
【実施例３】
【００６４】
図４は、本発明の実施例３に係る偽造防止形成体５１の全体構成を表す平面図である。図４には、偽造防止形成体５１の表面５１ａの全体構成が示されている。偽造防止形成体５１は、上記各実施例１、２の偽造防止形成体１、２１、３１と同様に、第１面である表面５１ａと第２面である裏面（図示せず）とを表裏一体として有する。また、偽造防止形成体５１の表面５１ａには、他の各実施例１、２の偽造防止形成体１、２１、３１と同様に、曲玉形状の第１の図形要素５３が表示された第１の単位面が、規則的に複数並んでいる。各々の第１の単位面は例えば正方形であり、偽造防止形成体５１の表面５１ａの外周辺には、余白５４が設けられている。なお、第１の単位面の境界線（区切り）は、図４では示されていない。
【００６５】
実施例３に係る偽造防止形成体５１の特徴は、第１の単位面上において、第１の図形要素５３でない残りの部分の占める面積が、第１の図形要素５３の占める面積よりも大きく、かつ、この第１の図形要素５３でない残りの部分が背景要素として第１の図形要素５３を囲繞していることである。そして、具体的には、第１の単位面上の第１の図形要素５３でない残りの部分が、所定の色で塗布や印刷等により形成されている（図４では、所定の色で形成されている部分を黒で示す）。この上記の特徴について、偽造防止形成体５１の部分的に拡大された図５を参照しつつ、さらに詳しく説明する。
【００６６】
図５（ａ）には、偽造防止形成体５１の表面５１ａの部分的な拡大図として隣接する第１の単位面５２が６つ示されている。図５（ｂ）には、偽造防止形成体５１の裏面５１ｂの部分的な拡大図として、図５（ａ）で示された第１の単位面５２に対応する第２の単位面６２が６つ示されている。また、図５（ｃ）には、偽造防止形成体５１の表面５１ａを手前にして透かし視た状態における、表面５１ａの部分的な拡大図が示されている。
【００６７】
図５（ａ）に示されるように、各々の第１の単位面５２には、曲玉形状の第１の図形要素５３が表示されている。なお、図５では、分かりやすくするため及び説明の便宜上、各々の第１の単位面５２内に円５５が描かれ、この円５５を曲玉形状の第１の図形要素５３ともう一つの曲玉形状の図形とで互いに点対称図形を構成するように描かれている。具体的には、複数の第１の単位面５２のうち、２つの第１の単位面５２ａ、５２ｂを例に挙げて説明すると、第１の単位面５２ａ、５２ｂにおいて、第１の図形要素５３ａ、５３ｂと、点対称図形であるもう一つの曲玉形状の図形５６ａ、５６ｂとで、円５５ａ、５５ｂをそれぞれ構成している。上記これらの構成については、実施例１（図２参照）や実施例２（図３参照）と同様である。
【００６８】
本実施例の特徴は、図５（ａ）に示されるように、複数の第１の単位面５２（５２ａ、５２ｂ）上の、第１の図形要素５３（５３ａ、５３ｂ）でない残りの部分が、所定の色で形成されていることである。所定の色で形成されている部分が、図５（ａ）では斜線で示されている。つまり、第１の単位面５２上において、所定の色で形成された第１の図形要素５３でない残りの部分の占める面積が、第１の図形要素５３の占める面積よりも大きくなっている。そして、第１の図形要素５３でない残りの部分が背景要素として第１の図形要素５３を囲繞している。
【００６９】
一方、図５（ｂ）の部分的に拡大された裏面５１ｂには、規則的に複数並んだ第２の単位面６２が示されている。そして、第１の図形要素５３と鏡像関係にある第２の図形要素６３が描かれている。図５（ｂ）においても、便宜上、各々の第２の単位面６２内に円６５が描かれ、この円６５を曲玉形状の第２の図形要素６３ともう一つの曲玉形状の図形６６とで互いに点対称図形を構成するように描かれている。複数の第２の単位面６２のうち、隣接する２つの第２の単位面６２ａ、６２ｂを例に挙げて、以下、説明する。第２の単位面６２ａ、６２ｂにおいて、第２の図形要素６３ａ、６３ｂと、点対称図形であるもう一つの曲玉形状の図形６６ａ、６６ｂとで、円６５ａ、６５ｂをそれぞれ構成している。なお、実際の偽造防止形成体５１では、図５に描かれた円５５、６５や第１の単位面５１や第２の単位面６２それぞれの輪郭線が表示されない点は、実施例１と同様である。
【００７０】
本実施例では、第２の単位面６２ａ上において、第２の図形要素６３ａでない残りの部分の一部、即ち、もう一つの曲玉形状の図形６６ａに偽造防止パターン要素６７ａが、塗布や印刷等により所定の色で形成されている。また、第２の単位面６２ｂ上においては、第２の図形要素６３ｂの全部を所定の色で塗布や印刷等を行うことにより、偽造防止パターン要素６８ｂが形成されている。即ち、偽造防止パターン要素６８ｂは第２の図形要素６３ｂと同形である。同様に、他の複数の第２の単位面６２上においても、第２の図形要素６３等の所定の部分に偽造防止パターン要素が形成されている。（図５（ｂ）では、所定の色で形成された偽造防止パターン要素を斜線で示す。）
【００７１】
なお、本実施例では第２の図形要素６３ｂの全部に偽造防止パターン要素６８ｂを形成しているが、第２の図形要素６３ｂの一部に偽造防止パターン要素６８ｂを形成してもよい。
【００７２】
上記のような構成を有する偽造防止形成体５１を第１面である表面５１ａを手前にして透かし視た状態におく。この透かし視た状態における偽造防止形成体５１の表面５１ａの部分的な拡大図が、図５（ｃ）に示される。つまり、偽造防止形成体５１の表面５１ａの部分的な拡大図である図５（ａ）の単位面５２を透かし視た状態が、図５（ｃ）に示されている。
【００７３】
本実施例の作用について以下に説明する。図５（ｃ）に示される状態では、第１の単位面５２ａにおいて、偽造防止形成体５１の裏面５１ｂに形成された偽造防止パターン要素６７ａの位置が、表面５１ａに形成されたもう一つの曲玉形状の図形５６ａ（第１の図形要素５３ａでない残りの部分の一部）の位置に一致する。そして、裏面５１ｂに形成された第２の図形要素６３ａの位置が、表面５１ａに形成された第１の図形要素５３ａの位置に一致する。
【００７４】
曲玉形状の図形５６ａは所定の色で形成されているため、偽造防止形成体５１の裏面５１ｂから表面５１ａに光が透過せず、裏面５１ｂの偽造防止パターン要素６７ａは表面５１ａ上に透過像として視認されない。そして、表面５１ａに形成された第１の図形要素５３ａ、及び、裏面５１ｂに形成された第２の図形要素６３ａは共に、所定の色で形成されていないため、裏面５１ｂから表面５１ａに光が透過する。このため、所定の色で形成されている第１の図形要素５３ａでない残りの部分（曲玉形状の図形５６ａを含む）が光を遮り陰となって、光が透過する第１の図形要素５３ａの輪郭が浮かび上がる。
【００７５】
一方、第１の単位面５２ｂにおいては、裏面５１ｂに形成された偽造防止パターン要素６８ｂの位置は、表面５１ａの第１の図形要素５３ｂの位置に一致する。第１の図形要素５３ｂは所定の色で塗布等により形成されていないため、裏面５１ｂの偽造防止パターン要素６８ｂが光を遮って陰となり透過像として視認される（図５（ｃ）に斜線で示す）。本実施例では、透過像として視認される偽造防止パターン要素６８ｂと、第１の単位面５２ｂ上の第１の図形要素５３ｂでない残りの部分とが、光を遮って陰となる。
【００７６】
第１の単位面５２が規則的に複数並んだ偽造防止形成体５１全体についても、同様に、透過像として視認される偽造防止パターン要素と第１の図形要素でない残りの部分とが光を遮って陰となり、光が透過する第１の図形要素の輪郭が浮かび上がる。このようにして、本実施例では、透過像として視認される偽造防止パターン要素と第１の図形要素でない残りの部分とが光を遮って陰となる結果、光が透過して輪郭が浮かび上がる第１の図形要素により、偽造防止パターンの輪郭が視認されることとなる。即ち、本実施例においては、偽造防止パターンの画素は、光が透過して輪郭が浮かび上がる第１の図形要素により構成される。本実施例のような場合には、偽造防止パターン要素と第１の図形要素でない残りの部分とで、偽造防止パターンを形成する。
【００７７】
また、本実施例の場合では、第１の図形要素５３でない残りの部分が、裏面５１ｂに形成される偽造防止パターン要素とともに、偽造防止パターンの背景部を形成する。要するに、表面５１ａに形成された第１の図形要素５３でない残りの部分と、裏面５１ｂに形成された偽造防止パターン要素とが合体して、光を遮る陰を作り、その結果、光が透過して浮かび上がる第１の図形要素による偽造防止パターンの画素を形成し、この画素の集合体が偽造防止パターンを形成する。本実施例の場合も、偽造を有効に防止できる。
【００７８】
本実施例においても、上記各実施例１、２と同様に、第１の図形要素５３でない残りの部分に形成されている所定の色は、表面５１ａの余白の部分、例えば余白５４との目視による区別がつかない色であることが望ましい。さらに、偽造防止形成体５１の表面５１ａ又は裏面５１ｂを手前にして透かし視た状態において、第１の図形要素５３でない残りの部分と、偽造防止パターン要素とが同じ陰の濃度で視認できるように、これら第１の図形要素５３でない残りの部分と上記偽造防止パターン要素とが、所定の色で形成されることが望ましい。
【００７９】
本実施例においては、偽造防止形成体５１の表面５１ａにおいて、複数の第１の単位面５２上の、第１の図形要素５３でない残りの部分が、所定の色で形成されているが、実施例２と同様に、これらの第１の図形要素５３でない残りの部分を、第１の網点が印刷された第１の領域と第２の網点が印刷された第２の領域とで構成することができる。なお、第１の網点が印刷された第１の領域と第２の網点が印刷された第２の領域については、実施例２と同様であるため、説明を省略する。
【００８０】
上記したように、偽造防止形成体５１では、第１の単位面５２上において、所定の色で形成された第１の図形要素５３でない残りの部分の占める面積が、第１の図形要素５３の占める面積よりも大きくなっており、かつ、第１の図形要素５３でない残りの部分が第１の図形要素５３を囲繞している。従って、第１の図形要素５３でない残りの部分を第１の領域と第２の領域とで構成すると、複数並ぶ第１の単位面５２全ての面積に対して、第１の領域及び第２の領域全ての占める割合が例えば５０％以上１００％未満となる。このようにすることにより、偽造防止形成体５１の表面５１ａに、第１の領域と第２の領域とを組み合わせて成るさまざまな文字や図形や記号等の複写防止パターンが形成し易くなる。このため、複写防止機能の実行を一層高めることができる。
【００８１】
なお、上記実施例では、第１の図形要素５３でない残りの部分を第１の領域と第２の領域とで構成して、第１の単位面全てに占める割合を５０％以上１００％未満とした。一方逆に、第１の単位面上において、第１の図形要素が占める面積の方を、第１の図形要素でない残りの部分の占める面積よりも大きくすることが考えられる。この場合は、第１の図形要素でない残りの部分が第１の図形要素を囲繞する割合が減ずることによって、複写防止パターンを形成する領域が減少する。
【実施例４】
【００８２】
図６は、実施例４に係る偽造防止形成体の部分的な拡大図である。実施例４に係る偽造防止形成体が偽造防止パターンを形成する原理は、実施例３の偽造防止形成体５１が偽造防止パターンを形成する原理と類似し、同様の点については説明を省略する。実施例４に係る偽造防止形成体では、第１の単位面に形成される第１の図形要素の形状が、実施例３に係る偽造防止形成体５１の第１の単位面５２に形成される第１の図形要素５３の形状と異なる。
【００８３】
図６（ａ）には、実施例４にかかる偽造防止形成体の表面を部分的に拡大した図として、拡大された一つの第１の単位面７２’ａが示されており、図６（ｂ）には、実施例４にかかる偽造防止形成体の裏面を部分的に拡大した図として、一つの第２の単位面８２’ａが示されている。図６（ｃ）には、実施例４に係る偽造防止形成体の表面を手前にして透かし視た状態を示す表面を部分的に拡大した図が示されている。つまり、図６（ａ）の第１の単位面７２’ａを手前にして第１の単位面７２’ａ及び第２の単位面８２’ａを透かし視た状態が、図６（ｃ）に示されている。
【００８４】
本実施例は、実施例３の偽造防止形成体５１が偽造防止パターンを形成する原理と類似するため、実施例３と同様の点については説明を省略し、以下、本実施例が実施例３と異なる点のみについて説明する。本実施例では、第１の単位面７２’ａ上に、三角形の第１の図形要素７４’ａが表示されている。そして、第１の図形要素７４’ａでない残りの部分７３’ａの全部が所定の色で塗布（形成）されており、斜線で示されている（図６（ａ））。一方、第２の単位面８２’ａ上には、第１の図形要素７４’ａと鏡像関係にある三角形の第２の図形要素８７’ｂが、図６（ｂ）に示されるように破線で描かれている。そして、この第２の図形要素８７’ｂの一部８７ａに、偽造防止パターン要素８８ａが塗布や印刷等により所定の色で形成されている（図６（ｂ）に斜線で示されている。）。偽造防止パターン要素８８ａは、第１の図形要素７４ａ’の相似形であることが望ましい。
【００８５】
本実施例においても、実施例３と同様に、実施例４に係る偽造防止形成体の例えば表面を手前にして透かし視た状態では、偽造防止パターン要素８８ａが透過像として視認される（図６（ｃ）に斜線で示される）。そして、この偽造防止パターン要素８８ａと第１の図形要素でない残りの部分７３’ａとで、偽造防止パターンの背景部を形成する（図６（ｃ））。要するに、実施例３と同様に、表面、つまり、第１の単位面７２ａ’に形成された第１の図形要素でない残りの部分７３’ａと、裏面、つまり、第２の単位面８２’ａに形成された偽造防止パターン要素８８ａとが合体して、光を遮る陰を作り、その結果、光が透過して輪郭が浮かび上がる第１の図形要素７４’ａによる偽造防止パターンの画素を形成し、この画素の集合体が偽造防止パターンを形成する。本実施例の場合も、偽造を有効に防止できる。
【００８６】
ここで、もし、偽造防止パターン要素８８ａの形状が第１の図形要素７４’ａの相似形と著しく異なる場合には、第２の単位面８２’ａにおいて、偽造防止パターンを構成している領域（他の領域とは明らかに異質な図像領域）が視認されてしまい、つまり、一見して偽造防止パターンが判別されてしまい、発明の効果が減ずる。しかし、本実施例では、偽造防止パターン要素８８ａの形状が第１の図形要素７４’ａの相似形であるため、そのようなことが無く、偽造防止パターンとしての効果を有効に発揮できる。
【実施例５】
【００８７】
図７は、実施例５に係る偽造防止形成体の部分的な拡大図である。実施例５に係る偽造防止形成体が偽造防止パターンを形成する原理は、実施例１の偽造防止形成体が偽造防止パターンを形成する原理と類似する。ただし、実施例５に係る偽造防止形成体は、第１の単位面７２ａに形成される第１の図形要素７４ａの形状が、実施例４に係る偽造防止形成体の第１の単位面７２’ａに形成される第１の図形要素７４’ａの形状と同様である例を示す。
【００８８】
つまり、図７（ａ）には、実施例５にかかる偽造防止形成体の表面を部分的に拡大した図として、拡大された一つの第１の単位面７２ａが示されており、図７（ｂ）には、実施例５にかかる偽造防止形成体の裏面を部分的に拡大した図として、一つの第２の単位面８２ａが示されている。図７（ｃ）には、実施例５に係る偽造防止形成体の表面を手前にして透かし視た状態を示す表面を部分的に拡大した図が示されている。即ち、図７（ａ）の第１の単位面７２ａを手前にして第１の単位面７２ａ及び第２の単位面８２ａを透かし視た状態が、図７（ｃ）に示されている。
【００８９】
本実施例は、実施例１の偽造防止形成体１が偽造防止パターンを形成する原理と類似するため、実施例１と同様の点については説明を省略し、以下、本実施例が実施例１と異なる点のみについて説明する。
【００９０】
実施例５に係る偽造防止形成体では、第１の単位面７２ａにおいて、三角形で示される、第１の図形要素７４ａの全部に、所定の色が形成され、斜線で示されている（図７（ａ））。本実施例では、第１の図形要素７４ａの面積が占める割合が、所定の色が形成された第１の図形要素でない残りの部分７３ａの面積が占める割合よりも小さい。
【００９１】
図７（ｂ）に示される第２の単位面８２ａ上では、第１の図形要素７４ａと鏡像関係にある三角形の第２の図形要素８７ｂが破線で描かれている。本実施例では、第２の図形要素８７ｂの一部８９ｂ及び第２の図形要素でない残りの部分の一部８９ａに、偽造防止パターン要素９０ａが所定の色で形成されている（図７（ｂ）に斜線で示されている。）。偽造防止パターン要素９０ａは、第１の図形要素７４ａの形状と相似形であることが望ましい。
【００９２】
本実施例においても、実施例１と同様に、本実施例の偽造防止形成体の例えば表面を手前にして透かし視た状態では、図７（ｃ）に示されるように、偽造防止パターン要素９０ａが第１の図形要素でない残りの部分７３ａと重なった部分、つまり、第２の図形要素でない残りの部分の一部８９ａが透過像として視認される。このようにして、偽造防止パターン要素９０ａと第１の図形要素７４ａとで、偽造防止パターンを形成する（図７（ｃ））。
【００９３】
（実施例６、７、８）
図８（ａ）（ｂ）（ｃ）はそれぞれ、実施例６、７、８に係る偽造防止形成体の部分的な拡大図である。これらの実施例６、７、８に係る偽造防止形成体の全体の構成は、実施例１の偽造防止形成体１の構成と類似し、実施例１及び他の既に述べた各実施例と同様の点については説明を省略する。実施例６、７、８に係る偽造防止形成体ではそれぞれ、第１の単位面に形成される第１の図形要素の形状が、実施例１や他の各実施例に係る偽造防止形成体の第１の単位面に形成される第１の図形要素の形状と異なる。
【００９４】
図８（ａ）には、実施例６にかかる偽造防止形成体の表面を部分的に拡大した図として、拡大された一つの第１の単位面９２ａが示されている。また、図８（ｂ）には、実施例７にかかる偽造防止形成体の表面を部分的に拡大した図として、拡大された一つの第１の単位面１０２ａが示されている。また、図８（ｃ）には、実施例８に係る偽造防止形成体の表面を部分的に拡大した図として、拡大された一つの第１の単位面１１２ａが示されている。
【００９５】
実施例６では、第１の単位面９２ａ上に形成されている第１の図形要素９３ａは、第１の構成要素９４ａと、背景要素９５ａとを備える。背景要素９５ａは、図８（ａ）に示されるように、第１の構成要素９４ａと点対称関係にある第２の構成要素９６ａを、表出するように形成されている。要するに、第１の構成要素９４ａと第２の構成要素９６ａとは点対称関係にある。そして、第２の構成要素９６ａを背景要素９５ａで取り囲むようにして形成することにより、第２の構成要素９６ａが表出する。本実施例では、第１の構成要素９４ａは、例えば曲玉形状である。したがって、第２の構成要素９６ａも、曲玉形状であり、第１の構成要素９４ａと点対称関係の位置にある。上記のようにして構成される第１の図形要素９３ａは、塗布や印刷等により所定の色で形成されている（図８（ａ）では、斜線で示される）。
【００９６】
なお、本実施例では、第１の構成要素９４ａ及び第２の構成要素９６ａは、それぞれ一つのみ構成されているが、それぞれ複数構成することにしてもよい。
【００９７】
実施例７では、図８（ｂ）に示されるように、第１の単位面１０２ａ上には、例えばＪＰの文字形状が形作られた第１の図形要素１０３ａが形成されている。具体的には、第１の図形要素１０３ａは、Ｊの文字が形作られた第１の構成要素１０４ａと、Ｐの文字が形作られた他の構成要素１０７ａとから構成されている。この他の構成要素１０７ａの中に、第２の構成要素１０６ａが含まれている。そして、第２の構成要素１０６ａは第１の構成要素１０４ａと点対称関係にある。つまり、他の構成要素１０７ａは、第１の構成要素１０４ａと点対称関係にある第２の構成要素１０６ａと、残りの構成要素１０５ａとで、Ｐの文字形状になるように構成されている。このようにして構成される第１の図形要素１０３ａは、塗布や印刷等により所定の色で形成されている（図８（ｂ）では、斜線で示される）。
【００９８】
実施例８は、実施例７と類似し、同一の箇所には同一の符号を付して説明を省略する。実施例８では、図８（ｃ）に示されるように、第１の図形要素１０３ａは、第１の構成要素１０４ａと、背景要素１１５ａとを備える。背景要素１１５ａは、第３の構成要素１１８を表出するように形成されている。第３の構成要素１１８は、第１の構成要素１０４ａと点対称関係にある第２の構成要素１０６ａを含む。つまり、第３の構成要素１１８は、第２の構成要素１０６ａと残りの構成要素１０５ａとから成る。さらに具体的には、Ｊの文字に形作られている第１の構成要素１０４ａと、点対称関係にある第２の構成要素１０６ａは、図８（ｃ）に示されるように、逆さ方向にしたＪの文字に形作られている。この逆さ方向にしたＪの文字に形作られた第２の構成要素１０６ａと、残りの構成要素１０５ａとで、Ｐの文字が形作られた第３の構成要素１１８が形成されている。
【００９９】
第１の単位面１１２ａ上において、第１の図形要素１０３ａ、つまり、第１の構成要素１０４ａと背景要素１１５ａとが所定の色で形成されている。要するに、Ｊの文字が形作られた第１の構成要素１０４ａと、Ｐの文字が形作られた第３の構成要素１１８が表出するように、背景要素１１５ａとが所定の色で形成されている。
【０１００】
上記各実施例６、７、８で示されたような形状の第１の図形要素を有する偽造防止形成体によっても、実施例１を始め、他の各実施例で述べたのと同様の効果
を発揮できる。
【０１０１】
（実施例９、１０）
図９（ａ）（ｂ）はそれぞれ、実施例９、１０に係る偽造防止形成体１２１、１３１を示す部分的な拡大図である。実施例９、１０はそれぞれ、実施例２、実施例３に類似する変形例である。図９（ａ）に示される実施例９は、図３（ｂ）に示される実施例２に類似し、図３（ｂ）の実施例２と同一の部分には同一の参照符号を付して説明を省略する。また、図９（ｂ）に示される実施例１０は、図５に示される実施例３に類似し、図５の実施例３と同一の部分には同一の参照符号を付して説明を省略する。
【０１０２】
図９（ａ）で示されるように、実施例９に係る偽造防止形成体１２１の特徴は、第１の単位面３２（３２ａ、３２ｂ、３２ｃ）において、第１の図形要素３３（３３ａ、３３ｂ、３３ｃ）だけでなく、第１の図形要素３３でない残りの部分の一部１２３、１２４、１２５も、第１の網点２４が印刷された第１の領域１２３ａ、１２４ａ、１２５ａと、第２の網点２６が印刷された第２の領域１２３ｂ、１２４ｂ、１２５ｂとで構成されていることである。
【０１０３】
図９（ｂ）で示されるように、実施例１０に係る偽造防止形成体１３１の特徴は、第１の単位面５２（５２ａ、５２ｂ、５２ｃ）において第１の図形要素５３でない残りの部分（残りの部分の全部）１３２（１３２ａ、１３２ｂ、１３２ｃ）が、第１の網点２４が印刷された第１の領域で構成されており、さらに、第１の図形要素５３（５３ａ、５３ｂ、５３ｃ）が、第２の網点２６が印刷された第２の領域で構成されていることである。このように構成することにより、本実施例の偽造防止形成体１３１の表面１３１ａでは、第１の単位面５２上の全てが、第１の領域又は第２の領域から構成されることとなる。
【０１０４】
偽造防止形成体１３１の第１の単位面５２全てに、第１の領域と第２の領域とが等濃度で印刷されているため、肉眼で観察すると、第１の網点２４と第２の網点２６とを区別できない。しかし、この偽造防止形成体１３１を複写機で複写した複写物上では、第１の網点２４が現出し第２の網点２６が消失する。したがって、複写物上では、第１の図形要素でない残りの部分（残りの部分の全部）１３２を構成している第１の領域が現出し、第１の図形要素５３を構成していた第２の領域が消失する。このとき、第１の図形要素５３は、第１の図形要素でない残りの部分１３２に囲繞されているため、第１の図形要素５３（第１の図形要素５３の形状）が表出する。つまり、偽造防止形成体１３１の表面１３１ａを複写した複写物では、肉眼によると、実施例３の図５（及び図４）で示したように、第１の図形要素５３でない残りの部分が所定の色で形成されている偽造防止形成体５１の表面５１ａと同様の構成のように見える。
【０１０５】
上記各実施例９、１０の偽造防止形成体１２１、１３１によっても、実施例１、２、３で述べたのと同様の効果を発揮できる。
【０１０６】
本発明の上記各実施例に係る偽造防止形成体は、例えば、紙、プラスチック、フィルム等から成る。また、このような偽造防止形成体の材質は、不透明、透明、半透明のいずれであってもよいが、少なくとも透過光により、透過像を視認できる材質であることが必要である。偽造防止形成体の具体例としては、商品券、株券、小切手、手形等の有価証券類や、銀行、百貨店等で用いられている各種のカード類、各種証明書、権利証書、機密文書等、偽造防止を必要とするものへの適用が可能である。本発明によれば、これら全ての偽造防止に有効である。
【０１０７】
なお、本発明において、第１の図形要素は、迷路の出入り口と迷路を構成する壁とが等間隔に配置された迷路状図形であってもよい。この場合、この迷路状図形において、迷路と迷路を構成する壁との面積がほぼ等しい。
【０１０８】
以上、本発明に係る偽造防止形成体の最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【０１０９】
本発明の活用例として、商品券、株券、小切手、手形等の有価証券類や、銀行、百貨店等で用いられている各種のカード類、各種証明書、権利証書、機密文書等、偽造防止を必要とするものへの適用が可能である。
【図面の簡単な説明】
【０１１０】
【図１】本発明の実施例１に係る偽造防止形成体の全体構成を表す平面図である。
【図２】実施例１に係る偽造防止形成体の部分的に拡大された図である。
【図３】実施例２に係る偽造防止形成体を示す部分的な拡大図である。
【図４】本発明の実施例３に係る偽造防止形成体の全体構成を表す平面図である。
【図５】実施例３に係る偽造防止形成体の部分的に拡大された図である。
【図６】実施例４に係る偽造防止形成体の部分的な拡大図である。
【図７】実施例５に係る偽造防止形成体の部分的な拡大図である。
【図８】図８（ａ）（ｂ）（ｃ）はそれぞれ、実施例６、７、８に係る偽造防止形成体の部分的な拡大図である。
【図９】図９（ａ）（ｂ）はそれぞれ、実施例９、１０に係る偽造防止形成体１２１、１３１を示す部分的な拡大図である。
【符号の説明】
【０１１１】
１、２１、３１、５１、１２１、１３１    偽造防止形成体
１ａ、２１ａ、３１ａ、５１ａ    表面
１ｂ、２１ｂ、３１ｂ、５１ｂ、１３１ａ    裏面
２、２ａ、２ｂ、２２、２２ａ、２２ｂ、２２ｃ、３２、３２ａ、３２ｂ、３２ｃ、５２、５２ａ、５２ｂ、７２ａ、７２’ａ、９２ａ、１０２ａ、１１２ａ    第１の単位面
３、３ａ、３ｂ、２３、２３ａ、２３ｂ、２３ｃ、３３、３３ａ、３３ｂ、３３ｃ、５３、５３ａ、５３ｂ、７４ａ、７４’ａ、９３ａ、１０３ａ    第１の図形要素
４、１４、５４    余白
５、５ａ、５ｂ、１５，１５ａ、１５ｂ、５５、５５ａ、５５ｂ、６５、６５ａ、６５ｂ    円
６ａ、６ｂ、１６ａ、１６ｂ、５６ａ、５６ｂ、６６ａ    曲玉形状の図形
１２、１２ａ、１２ｂ、６２、６２ａ、６２ｂ、８２ａ、８２’ａ    第２の単位面
１３、１３ａ、１３ｂ、６３、６３ａ、６３ｂ、８７ｂ、８７’ｂ    第２の図形要素
１７ａ、１８ｂ、６７ａ、６８ｂ、８８ａ、９０ａ    偽造防止パターン要素
２４    第１の網点
２５ａ、２５ｃ、３５ａ、３５ｂ、３５ｃ、１２３ａ、１２４ａ、１２５ａ    第１の領域
２５ｂ、３６ａ、３６ｂ、３６ｃ、３７ｃ、１２３ｂ、１２４ｂ、１２５ｂ    第２の領域
２６    第２の網点
７３’ａ、７３ａ、１３２、１３２ａ、１３２ｂ    第１の図形要素でない残りの部分
８９ａ    第２の図形要素でない残りの部分の一部
８３ｂ    第２の図形要素でない残りの部分
８７ａ、８９ｂ    第２の図形要素の一部
９４ａ、１０４ａ    第１の構成要素
９５ａ、１１５ａ    背景要素
１０５ａ    残りの構成要素
９６ａ、１０６ａ    第２の構成要素
１０７ａ    他の構成要素
１１８    第３の構成要素
１２３、１２４、１２５    第１の図形要素でない残りの部分の一部
【図１】
2005053197.tif 000003
【図２】
2005053197.tif 000004
【図３】
2005053197.tif 000005
【図４】
2005053197.tif 000006
【図５】
2005053197.tif 000007
【図６】
2005053197.tif 000008
【図７】
2005053197.tif 000009
【図８】
2005053197.tif 000010
【図９】
2005053197.tif 000011
【手続補正書】
【提出日】平成16年4月19日(2004.4.19)
【手続補正１】
【補正対象書類名】特許請求の範囲
【補正対象項目名】請求項１
【補正方法】変更
【補正の内容】
【請求項１】
第１面と第２面とを表裏一体として有する偽造防止形成体であって、
前記第１面には、第１の図形要素が表示された第１の単位面が、規則的に複数並んでおり、
前記第２面には、第２の単位面が、規則的に複数並んでおり、
前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、
前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造防止パターン要素と前記第１の単位面上の前記第１の図形要素でない残りの部分とで、偽造防止パターンを形成することを特徴とする偽造防止形成体。
【手続補正２】
【補正対象書類名】特許請求の範囲
【補正対象項目名】請求項１１
【補正方法】変更
【補正の内容】
【請求項１１】
第１面と第２面とを表裏一体として有する偽造防止形成体の作成方法であって、
前記第１面には、第１の図形要素が表示された第１の単位面が、規則的に複数並んでおり、
前記第２面には、第２の単位面が、規則的に複数並んでおり、
前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、
前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造防止パターン要素と前記第１の単位面上の前記第１の図形要素でない残りの部分とで、偽造防止パターンを形成することを特徴とする偽造防止形成体の作成方法。
【手続補正３】
【補正対象書類名】明細書
【補正対象項目名】０００６
【補正方法】変更
【補正の内容】
【０００６】
本発明は上記課題を解決するために、第１面と第２面とを表裏一体として有する偽造防止形成体であって、前記第１面には、第１の図形要素が表示された第１の単位面が、規則的に複数並んでおり、前記第２面には、第２の単位面が、規則的に複数並んでおり、前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造防止パターン要素と前記第１の単位面上の前記第１の図形要素でない残りの部分とで、偽造防止パターンを形成することを特徴とする偽造防止形成体を提供する。
【手続補正４】
【補正対象書類名】明細書
【補正対象項目名】００１６
【補正方法】変更
【補正の内容】
【００１６】
また本発明は、第１面と第２面とを表裏一体として有する偽造防止形成体の作成方法であって、前記第１面には、第１の図形要素が表示された第１の単位面が、規則的に複数並んでおり、前記第２面には、第２の単位面が、規則的に複数並んでおり、前記第２の単位面上において、前記第１面に表示された第１の図形要素との間で鏡像関係にある第２の図形要素の全部若しくは一部に、並びに、前記第２の図形要素でない残りの部分の全部若しくは一部に、偽造防止パターン要素が形成されており、前記第１面又は前記第２面を手前にして、透かし視た状態において、前記偽造防止パターン要素又は前記第１の図形要素が透過像として視認されることにより、前記偽造防止パターン要素と前記第１面に表示された前記第１の図形要素とで、又は、前記偽造防止パターン要素と前記第１の単位面上の前記第１の図形要素でない残りの部分とで、偽造防止パターンを形成することを特徴とする偽造防止形成体の作成方法を提供する。
【手続補正５】
【補正対象書類名】明細書
【補正対象項目名】００２８
【補正方法】変更
【補正の内容】
【００２８】
なお、本実施例では、第２の図形要素１３ａの全部に偽造防止パターン要素１７ａが形成されているが、第２の図形要素１３ａの一部に偽造防止パターン要素１７ａを形成することにしても良い。また、第２の図形要素１３ｂでない残りの部分の一部（もう一つの曲玉形状の図形１６ｂ）に偽造防止パターン要素１８ｂが形成されているが、第２の単位面１２ｂ上において、第２の図形要素１３ｂでない残りの全部に偽造防止パターン要素１８ｂを形成しても良い。